(57)【特許請求の範囲】
【請求項１】
ハンドルとそのハンドルに取着した刃体とを有する医療刃物を収容する収容部を備え、この収容部には医療刃物のハンドルを挿脱し得る開口部を設けるとともにその開口部から挿入されたハンドルを収容位置で保持してハンドルの動きを規制する保持部を設けた医療刃物用ホルダーにおいて、さらにこの収容部には、ハンドルを収容部に挿入する初期状態で前記ハンドルの収容位置に対しハンドルがその周方向へ傾いている場合、収容部へのハンドルの挿入に伴いハンドルをこの初期状態から収容位置に案内する案内部を設け、
前記医療刃物において刃体はハンドルの長手方向両端部のうち一方の頭端部側に取着され、前記案内部は、収容部の長手方向両端部のうち一方の頭端部に対し反対側になる尻端部側に設けられ、ハンドルの尻端部側に設けた被案内部に接触し、
前記保持部と案内部とは、それぞれ、前記収容部で開放された挿脱口と、ハンドルの周方向両側に面する収容部の両側でこの挿脱口から相対向して延びる両側面とを有する間隙部に形成され、その各間隙部のうち、前記収容部で底部に面する開口部側に開放された挿脱口を有する間隙部は、前記収容部で開口部に面する底部側に開放された挿脱口を有する間隙部よりも、収容部の長手方向で頭端部側向きにある
ことを特徴とする医療刃物用ホルダー。
【請求項２】
前記保持部は、前記収容部の長手方向へ複数並設され、収容部の頭端部側に設けられた保持部と、収容部の尻端部側に設けられた保持部とを有し、前記案内部は尻端部側の保持部と連続して設けられていることを特徴とする請求項１に記載の医療刃物用ホルダー。
【発明の詳細な説明】
【技術分野】
【０００１】
本発明は、各種手術用メスなどの医療刃物を収容する医療刃物用ホルダーに関するものである。
【背景技術】
【０００２】
下記特許文献１では、外科用メスを外科用メスホルダーに保管することができる。その保管時には、外科用メスホルダーの尻端部に形成された袋状部分に外科用メスのハンドルの尻端部が嵌め込まれた状態で、外科用メスのハンドルの頭端部側が外科用メスホルダーに保持される。外科用メスにおいてハンドルの頭端部に取着された刃体には各種形態のものがあるため、外科用メスのハンドルの尻端部がこの袋状部分に嵌め込まれたとしても、刃体の向きには任意性があり、その向きを十分に意識しない限り、刃体を所定向きで収容することができない。
【０００３】
そのほか、図１０に示す従来の医療刃物用ホルダーにおいては、収容部１の尻端壁５に袋状部４５が形成されている。図１１（ｂ）に示すように、医療刃物３４のハンドル３５で尻端部３５ｂに形成された突起３８をこの袋状部４５の内側に対し挿入できる場合には、医療刃物３４において刃体３６が真下を向いている正常位置Ｍにハンドル３５がある。そのため、図１１（ａ）に示すように、ハンドル３５を収容部１に対し円滑に嵌め込んで、医療刃物３４を収容位置Ｑに位置決めしてその動きを規制することができる。しかし、図１１（ｃ）に示すように、その突起３８をこの袋状部４５の内側に対し挿入できない場合には、ハンドル３５の収容位置Ｑに対しハンドル３５がその周方向へ傾いて刃体３６が真下を向いていない不正常位置Ｎにあるため、ハンドル３５を収容部１に嵌め込むことができない。
【特許文献１】実公昭６２−２６０８７号公報
【発明の開示】
【発明が解決しようとする課題】
【０００４】
図１０に示す従来の医療刃物用ホルダーにおいては、刃体３６の向きを十分に意識してハンドル３５の突起３８を袋状部４５の内側に対し挿入しない限り、刃体３６を所定向きで収容することができないため、医療刃物３４を収容部１に対し円滑に収容することができない。
【０００５】
この発明は、医療刃物用ホルダーにおいて医療刃物を収容部に対し円滑に収容することを目的としている。
【課題を解決するための手段】
【０００６】
後記実施形態の図面（図１〜９）の符号を援用して本発明を説明する。
請求項１の発明にかかる医療刃物用ホルダーは、下記のように構成されている。
この医療刃物用ホルダーは、ハンドル３５とそのハンドル３５に取着した刃体３６とを有する医療刃物３４を収容する収容部１を備えている。この収容部１には医療刃物３４のハンドル３５を挿脱し得る開口部８を設けるとともにその開口部８から挿入されたハンドル３５を収容位置Ｑで保持してハンドル３５の動きを規制する保持部２４，２９，３０，３２を設けている。さらに、この収容部１には、ハンドル３５を収容部１に挿入する初期状態で前記ハンドル３５の収容位置Ｑに対しハンドル３５がその周方向へ傾いている場合、収容部１へのハンドル３５の挿入に伴いハンドル３５をこの初期状態から収容位置Ｑに案内する案内部３１，３３を設けている。
【０００７】
請求項１の発明では、ハンドル３５を収容部１に挿入する当初にハンドル３５が傾いていても、その傾きを意識的に修正することなく、その傾きが案内部３１，３３により自然に修正された状態で、ハンドル３５を保持部２４，２９，３０，３２に挿入することができる。
【０００８】
また、前記医療刃物３４で刃体３６はハンドル３５の長手方向Ｘの両端部３５ａ，３５ｂのうち一方の頭端部３５ａ側に取着され、前記案内部３１，３３は、収容部１の長手方向Ｘの両端部４，５のうち一方の頭端部４に対し反対側になる尻端部５側に設けられ、ハンドル３５の尻端部３５ｂ側で例えばハンドル３５の周方向へ案内面４２，４３，４４を並設した被案内部３７に接触する。ちなみに、この被案内部３７においては、ハンドル３５の外周面３９に形成した切欠部４１に例えば平坦な案内面４２を形成している。従って、上記のような案内面４２，４３，４４を有する被案内部３７をハンドル３５の頭端部３５ａ側に設ける必要がなくなるため、ハンドル３５の頭端部３５ａ側を把持し易い。例えば、この案内部３１，３３を収容部１の尻端部５側において長手方向Ｘへ複数互いに並んで設ければ、各案内部３１，３３が互いに助長し合ってハンドル３５を保持部２４，２９，３０，３２に案内することもできる。
【０００９】
さらに、前記保持部２４，２９，３０，３２と案内部３１，３３とは、それぞれ、前記収容部１で開放された挿脱口１５，２０，２６と、ハンドル３５の周方向の両側に面する収容部１の両側でこの挿脱口１５，２０，２６から相対向して延びる両側面１７，１８，２２，２３，２７，２８とを有する間隙部１４，１９，２５に形成され、その各間隙部１４，１９，２５のうち、前記収容部１で底部７に面する開口部８側に開放された挿脱口２０，２６を有する間隙部１９，２５は、前記収容部１で開口部８に面する底部７側に開放された挿脱口１５を有する間隙部１４よりも、収容部１の長手方向Ｘで頭端部４側の向きにある。従って、ハンドル３５の頭端部３５ａ側を刃体３６とともに収容部１から離すとともにハンドル３５の尻端部３５ｂ側を間隙部１４で底部７側に開放された挿脱口１５に挿入した状態で、ハンドル３５の頭端部３５ａ側を刃体３６とともに収容部１に挿入することができる。従って、医療刃物３４を収容部１に収容する際に刃体３６が収容部１に対し不用意に当りにくくなって刃体３６の損傷を防止することができる。
【００１０】
請求項１の発明を前提とする請求項２の発明において、前記保持部２４，２９，３０，３２は、前記収容部１の長手方向Ｘへ複数並設され、収容部１の頭端部４側に設けられた保持部２４，２９と、収容部１の尻端部５側に設けられた保持部２４，３０，３２とを有し、前記案内部３１，３３は尻端部５側の保持部３０，３２と連続して設けられている。請求項２の発明では、収容部１の頭端部４側の保持部２４，２９と収容部１の尻端部５側の保持部２４，３０，３２とによりハンドル３５を安定性良く支持することができるとともに、互いに連続する案内部３１，３３と保持部３０，３２とにより、ハンドル３５を案内部３１，３３から保持部３０，３２へ円滑に移動させることができる。
次に、請求項以外の技術的思想について実施形態の図面の符号を援用して説明する。
請求項２の発明を前提とする第３の発明において、前記保持部２４，３０，３２と案内部３１，３３とは、それぞれ、前記収容部１で開放された挿脱口１５，２０と、この挿脱口１５，２０に面して設けた奥面１６，２１と、ハンドル３５の周方向の両側に面する収容部１の両側でこの挿脱口１５，２０から相対向してこの奥面１６，２１側へ延びる両側面１７，１８，２２，２３とを有する凹部１４，１９に形成されている。第３の発明では、凹部１４，１９において保持部２４，３０，３２や案内部３１，３３を形成し易い。
第３の発明を前提とする第４の発明において、前記凹部１４，１９は収容部１内で支持板部９，１０，１１，１３に形成されている。第４の発明では、凹部１４，１９を形成し易い。
第３の発明または第４の発明を前提とする第５の発明において、前記案内部３１，３３と保持部３０，３２とを有する凹部１４，１９では、両側面１７，１８，２２，２３から奥面１６，２１にわたりハンドル３５を収容位置Ｑに保持する保持部３０，３２を設け、挿脱口１５，２０とこの保持部３０，３２との間で両側面１７，１８，２２，２３にこの案内部３１，３３を設けている。第５の発明では、凹部１４，１９においてハンドル３５を案内部３１，３３から保持部３０，３２へ円滑に移動させることができる。
第５の発明を前提とする第６の発明において、前記案内部３１，３３と保持部３０，３２とを有する凹部１４，１９では、案内部３１，３３における両側面１７，１８，２２，２３間の間隔は保持部３０，３２における両側面１７，１８，２２，２３間の間隔よりも大きく設定されている。第６の発明では、凹部１４，１９においてハンドル３５を案内部３１，３３から保持部３０，３２に導入し易い。
第６の発明を前提とする第７の発明において、前記案内部３１，３３と保持部３０，３２とを有する凹部１４，１９で、挿脱口１５，２０は奥面１６，２１側から凹部１４，１９の外側へ次第に広がって開放されている。第７の発明では、凹部１４，１９においてハンドル３５を挿脱口１５，２０に挿入し易い。
【発明の効果】
【００１１】
本発明は、医療刃物用ホルダーにおいて医療刃物３４を収容部１に対し円滑に収容することができる。
【発明を実施するための最良の形態】
【００１２】
以下、本発明の一実施形態にかかる医療刃物用ホルダーについて図１〜９を参照して説明する。
図１（ａ）（ｂ）、図２（ａ）及び図９に示すように、収容部１においては、その長手方向Ｘに対し直交する幅方向Ｙの両側で長手方向Ｘに沿って延びる側壁２，３と、長手方向Ｘの両端部でこの両側壁２，３間に形成された頭端壁４及び尻端壁５と、この両側壁２，３と頭端壁４と尻端壁５とにより囲まれた収容室６とを備えている。この長手方向Ｘ及び幅方向Ｙに対し直交する上下方向Ｚの両側のうち、この収容室６の下側には貫通穴７ａにより分断された底部としての底壁７が形成されているとともに、この収容室６の上側にはこの底壁７に面する開口部８が形成されている。この両側壁２，３の長手方向Ｘの中間部には指入部２ａ，３ａが切り欠いて形成されている。この底壁７の長手方向Ｘの中間部には幅方向Ｙの両側で傾斜部７ｂがこの両指入部２ａ，３ａに面して形成されている。
【００１３】
前記収容部１の収容室６において両側壁２，３間には、第１の支持板部９と第２の支持板部１０と第３の支持板部１１と第４の支持板部１２と第５の支持板部１３とが、尻端部としての尻端壁５と頭端部としての頭端壁４との間で順次尻端壁５側から頭端壁４側向きに互いに間隔をあけて長手方向Ｘへ並んで設けられている。この第１の支持板部９と第２の支持板部１０と第３の支持板部１１とは収容部１の長手方向Ｘの中間位置よりも尻端壁５側に設けられている。この第４の支持板部１２と第５の支持板部１３とは収容部１の長手方向Ｘの中間位置よりも頭端壁４側に設けられている。
【００１４】
ちなみに、前記収容部１において両側壁２，３と頭端壁４及び尻端壁５と底壁７と各支持板部９，１０，１１，１２，１３とは、半透明のポリカーボネイト樹脂により一体的に射出成形されている。この収容部１において長手方向Ｘの全長は約１５５ｍｍである。
【００１５】
前記第１の支持板部９には、図６（ｃ）に示すように、両側壁２，３間で一連に繋がる天井板部９ａと両側板部９ｂ，９ｃとにより囲まれた下向きの凹部１４が形成されている。この凹部１４は、前記収容室６で下方へ開放された挿脱口１５と、この挿脱口１５に面して設けられた奥面としての天井面１６と、収容部１の幅方向Ｙの両側でこの挿脱口１５から相対向してこの天井面１６側へ上向きに延びる両側面１７，１８とを有し、この挿脱口１５と両側面１７，１８とを有する間隙部を含んでいる。
【００１６】
図６（ｄ）に示す前記第２の支持板部１０と、図２（ｂ）に示す前記第３の支持板部１１と、図２（ｄ）に示す前記第５の支持板部１３とには、それぞれ、両側壁２，３間で一連に繋がる底板部１０ａ，１１ａ，１３ａと両側板部１０ｂ，１１ｂ，１３ｂ，１０ｃ，１１ｃ，１３ｃとにより囲まれた上向きの凹部１９が形成されている。この凹部１９は、前記収容室６で上方へ開放された挿脱口２０と、この挿脱口２０に面して設けた奥面としての底面２１と、収容部１の幅方向Ｙの両側でこの挿脱口２０から相対向してこの底面２１側へ下向きに延びる両側面２２，２３とを有し、この挿脱口２０と両側面２２，２３とを有する間隙部を含んでいる。この第３の支持板部１１と第５の支持板部１３とにおいて凹部１９には、幅方向Ｙの中心線Ｐを線対称中心とする形状の保持部２４が形成されている。この保持部２４においては、円弧状の底面２１の両側から両側面２２，２３が上方へ向かうに従い互いに僅かに広がるように延びている。
【００１７】
前記第４の支持板部１２には、図２（ｃ）に示すように、両側壁２，３から相対向して突設されて互いに分離された両側板部１２ａ，１２ｂ間で上下両方向へ開放された間隙部２５が形成されている。この間隙部２５は、前記収容室６で上方へ開放された挿脱口２６と、収容部１の幅方向Ｙの両側でこの挿脱口２６から相対向して下向きに延びる両側面２７，２８とを有している。この第４の支持板部１２において間隙部２５には、両側面２７，２８の下半部に形成された段差部２７ａ，２８ａ間で幅方向Ｙの中心線Ｐを線対称中心とする形状の保持部２９が形成されている。
【００１８】
特に、図６（ｃ）に示す前記第１の支持板部９において凹部１４には、幅方向Ｙの中心線Ｐを線対称中心とする形状の保持部３０が両側面１７，１８から天井面１６にわたり形成されている。この保持部３０においては、円弧状の天井面１６の両側から両側面１７ａ，１８ａが下方へ向かうに従い互いに僅かに広がるように延びている。
【００１９】
また、この凹部１４には、幅方向Ｙの中心線Ｐに対し非対称形状の案内部３１が挿脱口１５とこの保持部３０との間で両側面１７，１８間に形成されている。この案内部３１において、一方の側面１７側には、挿脱口１５から中心線Ｐに対しほぼ平行に延びる側面１７ｂと、この側面１７ｂから延びて保持部３０の側面１７ａに対し突出部１７ｄを介して連続する側面１７ｃとが形成されている。この側面１７ｃは、保持部３０の側面１７ａに向かうに従い中心線Ｐに接近するように傾斜している。例えば、中心線Ｐに対し側面１７ｃがなす角度は中心線Ｐに対し側面１７ａがなす角度よりも大きくなっており、それらの角度を互いに異なるものとしてそれらの角度間で変化を持たせている。他方の側面１８側には、この側面１７ｂに対向して挿脱口１５から延びる側面１８ｂと、この側面１８ｂからこの側面１７ｃに対向して延びて保持部３０の側面１８ａに突出部１８ｄを介して連続する側面１８ｃとが形成されている。この側面１８ｂはこの側面１８ｃに向かうに従い中心線Ｐに接近するように傾斜している。この側面１８ｃは保持部３０の側面１８ａから面一で延びている。例えば、中心線Ｐに対し側面１８ｂがなす角度は中心線Ｐに対し側面１８ｃ，１８ａがなす角度よりも大きくなっており、それらの角度を互いに異なるものとしてそれらの角度間で変化を持たせている。ちなみに、前記突出部１７ｄにおいて側面１７ａと側面１７ｃとがなす角度αや、前記突出部１８ｄにおいて側面１８ｂと側面１８ｃとがなす角度βについては、１００度〜１６０度が好ましい。
【００２０】
この案内部３１における両側面１７ｃ，１８ｃ間の間隔は、この保持部３０における両側面１７ａ，１８ａ間の間隔よりも大きく設定され、この挿脱口１５側に向かうに従い次第に大きくなっている。さらに、幅方向Ｙの中心線Ｐに対する側面１７ｃの間隔は、幅方向Ｙの中心線Ｐに対する側面１８ｃの間隔よりも大きく設定され、この挿脱口１５側に向かうに従い次第に大きくなっている。一方、この案内部３１における両側面１７ｂ，１８ｂ間の間隔は、この案内部３１における両側面１７ｃ，１８ｃ間の間隔よりも大きく設定され、この挿脱口１５側に向かうに従い次第に大きくなっている。さらに、幅方向Ｙの中心線Ｐに対する側面１７ｂの間隔は、幅方向Ｙの中心線Ｐに対する側面１８ｂの間隔よりも大きく設定され、幅方向Ｙの中心線Ｐに対する側面１８ｂの間隔は、この挿脱口１５側に向かうに従い次第に大きくなっている。この挿脱口１５における両側面１７ｂ，１８ｂ間の間隔は、この案内部３１における両側面１７ｂ，１８ｂ間の間隔よりも大きく設定されて最大になっている。
【００２１】
特に、図６（ｄ）に示す前記第２の支持板部１０において凹部１９には、幅方向Ｙの中心線Ｐを線対称中心とする形状の保持部３２が円弧状の底面２１により形成されている。
また、この凹部１９には、幅方向Ｙの中心線Ｐに対し非対称形状の案内部３３が挿脱口２０とこの保持部３２との間で両側面２２，２３間に形成されている。この案内部３３において、一方の側面２２側には、挿脱口２０から中心線Ｐに対しほぼ平行に延びる側面２２ａと、この側面２２ａから延びて保持部３２の底面２１に連続する側面２２ｂとが形成されている。この側面２２ｂは、保持部３２の底面２１に向かうに従い中心線Ｐに接近するように傾斜している。他方の側面２３側には、この側面２２ａに対向して挿脱口２０から中心線Ｐに対しほぼ平行に延びる側面２３ａと、この側面２３ａからこの側面２２ｂに対向して中心線Ｐに対しほぼ平行に延びて保持部３２の底面２１に連続する側面２３ｂとが形成されている。この側面２３ａと側面２３ｂとは互いに面一で延びている。
【００２２】
この案内部３３における両側面２２ｂ，２３ｂ間の間隔は、この保持部３２における底面２１の間隔よりも大きく設定され、この挿脱口２０側に向かうに従い次第に大きくなっている。さらに、幅方向Ｙの中心線Ｐに対する側面２２ｂの間隔は、幅方向Ｙの中心線Ｐに対する側面２３ｂの間隔よりも大きく設定され、この挿脱口２０側に向かうに従い次第に大きくなっている。一方、この案内部３３における両側面２２ａ，２３ａ間の間隔は、この案内部３３における両側面２２ｂ，２３ｂとの境界部から挿脱口２０側に向かうに従い僅かに大きくなっている。さらに、幅方向Ｙの中心線Ｐに対する側面２２ａの間隔は、幅方向Ｙの中心線Ｐに対する側面２３ａの間隔よりも大きく設定され、幅方向Ｙの中心線Ｐに対する側面２２ａ，２３ａの間隔は、この挿脱口２０側に向かうに従い僅かに大きくなっている。この挿脱口２０における両側面２２ａ，２３ａ間の間隔は、この案内部３３における両側面２２ａ，２３ａ間の間隔よりも大きく設定されている。
【００２３】
図３（ａ）（ｂ）に示す二種類の医療刃物３４においては、例えばポリブチレンテレフタレート樹脂からなる細長いハンドル３５で長手方向Ｘの両端部３５ａ，３５ｂのうち頭端部３５ａに刃体３６が取着されている。このハンドル３５において、頭端部３５ａに対し反対側になる尻端部３５ｂ側には尻端部３５ｂから所定長さをなす被案内部３７が形成され、この尻端部３５ｂの端面にはその端面の内側で突起３８が形成されている。この被案内部３７よりも若干頭端部３５ａ側でハンドル３５の円形外周面３９には品種やサイズを表すマーク４０がシルク印刷により付されている。この被案内部３７においては、図４（ａ）（ｂ）（ｃ）（ｄ）に示すように、ハンドル３５の円形外周面３９で幅方向Ｙの両側に切欠部４１が形成されて平坦な案内面４２が形成され、この両案内面４２間でこの円形外周面３９の上下方向Ｚの両側に円弧状の案内面４３，４４が形成されている。品種やサイズを表す前記マーク４０を平坦な案内面４２に印刷や凹凸状の成形により設けてもよい。
【００２４】
図１（ａ）（ｂ）及び図２（ａ）に示すように前記医療刃物３４を前記医療刃物用ホルダーの収容部１の収容室６に収容した状態では、図６（ｃ）（ｄ）に示すようにハンドル３５の被案内部３７が第１の支持板部９の保持部３０と第２の支持板部１０の保持部３２とに嵌め込まれるとともに、図２（ｂ）（ｃ）（ｄ）に示すようにハンドル３５の円形外周面３９が第３の支持板部１１の保持部２４と第４の支持板部１２の保持部２９と第５の支持板部１３の保持部２４とに嵌め込まれ、医療刃物３４が収容位置Ｑで位置決めされてその動きが規制される。この収容部１の両側壁２，３の指入部２ａ，３ａから底壁７の両傾斜部７ｂ上へ指を入れてハンドル３５を把持し、ハンドル３５の尻端部３５ｂ側を支点として上方へ回しながらハンドル３５の頭端部３５ａ側を刃体３６とともに上方へ離すと、図５（ａ）の二点鎖線に示す初期状態となる。その後、ハンドル３５を頭端部３５ａ側へ向けて長手方向Ｘへ移動させると、ハンドル３５を前記各保持部２４，２９，３０，３２から抜いて医療刃物３４を収容部１の収容室６からその開口部８を通して離脱させることができる。
【００２５】
医療刃物３４を収容部１の収容室６にその開口部８を通して収容する際には、図５（ａ）（ｂ）の二点鎖線に示す初期状態のようにハンドル３５の頭端部３５ａ側を刃体３６とともに上方へ離すとともにハンドル３５の尻端部３５ｂ側を第１の支持板部９の下方へ挿入した状態から、図５（ａ）（ｂ）の実線に示すようにハンドル３５の頭端部３５ａ側を刃体３６とともに下げる。その際、図５（ａ）の実線に示すハンドル３５の途中状態で刃体３６が真下を向いている正常位置Ｍにハンドル３５がある場合には、前述したように、ハンドル３５が前記各保持部２４，２９，３０，３２に対し円滑に嵌め込まれ、医療刃物３４が収容位置Ｑで位置決めされてその動きが規制される。
【００２６】
しかし、図５（ｂ）の実線に示すハンドル３５の途中状態で前記ハンドル３５の収容位置Ｑに対しハンドル３５がその周方向へ傾いて刃体３６が真下を向いていない不正常位置Ｎにある場合には、図６（ａ）（ｂ）または図７（ａ）（ｂ）に示すように、前記ハンドル３５の被案内部３７が第１の支持板部９の凹部１４及び第２の支持板部１０の凹部１９にそれらの挿脱口１５，２０から挿入されるに伴い、この被案内部３７の各案内面４２，４３，４４特に平坦な両案内面４２が第１の支持板部９の案内部３１及び第２の支持板部１０の案内部３３でそれらの側面１７ｂ，１７ｃ，１８ｂ，１８ｃ，２２ａ，２２ｂ，２３ａ，２３ｂに接触しながら、この被案内部３７が第１の支持板部９の保持部３０及び第２の支持板部１０の保持部３２に案内される。そのため、ハンドル３５を収容部１に挿入する当初にハンドル３５の傾きを意識的に修正することなく、その傾きが案内部３１，３３により自然に修正された状態で、ハンドル３５が前記各保持部２４，２９，３０，３２に対し円滑に嵌め込まれ、刃体３６が真下を向いている正常位置Ｍで医療刃物３４が収容位置Ｑで位置決めされてその動きが規制される。
【００２７】
ちなみに、この医療刃物３４の収容位置Ｑでは、前記各支持板部９，１０，１１，１２，１３が互いに協働して幅方向Ｙと上下方向Ｚへのハンドル３５の動きを規制しているが、長手方向Ｘへのハンドル３５の動きについては、ハンドル３５の頭端部３５ａ側でその外周面３９に形成された突起３９ａが第５の支持板部１３に係止されるとともにハンドル３５の尻端部３５ｂ側で突起３８が尻端壁５に係止されることにより規制される。各支持板部９，１０，１１，１２，１３については、幅方向Ｙや上下方向Ｚや長手方向Ｘへのハンドル３５の動きの規制のうち少なくとも一つの方向規制を行なえればよく、その場合には各支持板部９，１０，１１，１２，１３等が互いに協働して方向規制を行なう。また、各支持板部９，１０，１１，１２，１３のうち少なくともいずれかのものがすべての方向規制を行なえるようにしてもよい。
【００２８】
前記実施形態以外にも下記のように構成してもよい。
＊  前記ハンドル３５の被案内部３７においては、各種形状の案内面を採用することができ、例えば、図４（ｅ）に示すように上下両案内面４３，４４の形状を変更して断面を六角形状にしたり、図４（ｆ）に示すように両側の案内面４２のうち一方の案内面４２を円弧形状にして上下両案内面４３，４４に連続させる。
【００２９】
＊  図８（ａ）（ｂ）に示すように、第１の支持板部９の凹部１４及び第２の支持板部１０の凹部１９において、幅方向Ｙの中心線Ｐを線対称中心とする保持部３０，３２及び案内部３１，３３を設ける。
【００３０】
＊  図示しないが、第１の支持板部９の凹部１４も上向きに開放する。その場合には、ハンドル３５を前述したように傾斜させて収容部１に挿入することも、ハンドル３５を収容部１と平行にして収容部１に挿入することもできる。
【００３１】
＊  医療刃物３４については、メス以外でもトレパンやキュレットや各種ナイフなどであってもよい。
＊  医療刃物３４については、ハンドル３５に対し刃体３６を着脱可能にしてハンドル３５のみを再利用できるようにしたり、刃体３６とハンドル３５の頭端部３５ａ側とを含む取替部を着脱可能にしてその取替部以外のハンドル本体のみを再利用できるようにしたり、その医療刃物３４の全体を別のハンドルに対し着脱可能にしたりしてもよい。
【００３２】
＊  第１の支持板部９の凹部１４において、側面１７の各側面１７ａ，１７ｂ，１７ｃや側面１８の各側面１８ａ，１８ｂ，１８ｃについてはそれぞれ平坦な形状になっているが、それらの側面１７ａ，１７ｂ，１７ｃ，１８ａ，１８ｂ，１８ｃをそれぞれ凸曲面または凹曲面により形成してもよいし、それらの側面１７ａ，１７ｂ，１７ｃ，１８ａ，１８ｂ，１８ｃを凸曲面または凹曲面により互いに連続させてもよい。また、第２の支持板１０部の凹部１９も同様である。
【図面の簡単な説明】
【００３８】
【図１】（ａ）は本実施形態にかかる医療刃物用ホルダーに医療刃物を収容した状態を示す平面図であり、（ｂ）は同じく正面図である。
【図２】（ａ）は図１（ａ）（ｂ）に示す医療刃物用ホルダーを正面側から見た断面図であり、（ｂ）は図１（ａ）のＡ−Ａ線拡大断面図であり、（ｃ）は図１（ａ）のＢ−Ｂ線拡大断面図であり、（ｄ）は図１（ａ）のＣ−Ｃ線拡大断面図である。
【図３】（ａ）は本実施形態にかかる医療刃物を示す正面図であり、（ｂ）は本実施形態の別例にかかる医療刃物を示す正面図である。
【図４】（ａ）は図３（ａ）（ｂ）に示す医療刃物のハンドルの部分拡大平面図であり、（ｂ）は同じく部分拡大正面図であり、（ｃ）はこのハンドルの被案内部を示す（ａ）（ｂ）のＤ−Ｄ線断面図であり、（ｄ）は（ａ）（ｂ）のＥ−Ｅ線断面図であり、（ｅ）（ｆ）はそれぞれこの被案内部の別例を示す断面図である。
【図５】（ａ）は本実施形態にかかる医療刃物用ホルダーに医療刃物を正常位置で収容する途中状態を正面側から見た断面図であり、（ｂ）は同じく不正常位置で収容する途中状態を正面側から見た断面図である。
【図６】（ａ）は図５（ｂ）のＦ−Ｆ線拡大断面図であり、（ｂ）は図５（ｂ）のＧ−Ｇ線拡大断面図であり、（ｃ）は図１（ａ）のＨ−Ｈ線拡大断面図であり、（ｄ）は図１（ａ）のＩ−Ｉ線拡大断面図である。
【図７】（ａ）は本実施形態にかかる医療刃物用ホルダーにおいて使用状態の別例を示す図６（ａ）相当図であり、（ｂ）は同じく図６（ｂ）相当図である。
【図８】（ａ）は本実施形態の別例にかかる医療刃物用ホルダーにおいて図６（ａ）相当図であり、（ｂ）は同じく図６（ｂ）相当図である。
【図９】本実施形態にかかる医療刃物用ホルダーを示す斜視図である。
【図１０】従来の医療刃物用ホルダーを示す斜視図である。
【図１１】（ａ）は従来の医療刃物用ホルダーに医療刃物を収容した状態を示す平面図であり、（ｂ）は従来の医療刃物用ホルダーに医療刃物を正常位置で収容する途中状態を正面側から見た断面図であり、（ｃ）は同じく不正常位置で収容する途中状態を正面側から見た断面図である。
【符号の説明】
【００３９】
１…収容部、４…頭端部としての頭端壁、５…尻端部としての尻端壁、７…底部としての底壁、８…開口部、１４，１９…間隙部を含む凹部、１５，２０，２６…挿脱口、１７，１８，２２，２３，２７，２８…側面、２４，２９，３０，３２…保持部、２５…間隙部、３１，３３…案内部、３４…医療刃物、３５…ハンドル、３５ａ…頭端部、３６…刃体、３７…被案内部、Ｑ…収容位置、Ｘ…長手方向。
【図１】
0004504944.tif 000002
【図２】
0004504944.tif 000003
【図３】
0004504944.tif 000004
【図４】
0004504944.tif 000005
【図５】
0004504944.tif 000006
【図６】
0004504944.tif 000007
【図７】
0004504944.tif 000008
【図８】
0004504944.tif 000009
【図９】
0004504944.tif 000010
【図１０】
0004504944.tif 000011
【図１１】
0004504944.tif 000012